(57)【要約】【課題】切断歯を角柱部材の表面に線接触させてプレスすることにより、能率良く切断させるようにしたことにある。【解決手段】断面において複数の辺部分２と、隣り合う辺部分２によって構成される複数の隅角部３とを有する角柱部材１を、１つの隅角部分が上端であって隣り合う２つの辺部分が上端の隅角部分から下り傾斜するようにして挟持機構１１に挟着し、前記挟持機構１１の先端面１３の切断位置において、前記上端の隅角部分及び隣り合って下り傾斜する２つの辺部分と同一形状の切断歯５２を有するカッター機構５１をプレスすることにより、前記切断位置から延長する角柱部材を切断するようにしたことを特徴とする。【選択図】  図１
2004188547.tif 000002
【特許請求の範囲】
【請求項１】
断面において複数の辺部分と、隣り合う辺部分によって構成される複数の隅角部とを有する角柱部材を、１つの隅角部分が上端であって隣り合う２つの辺部分が上端の隅角部分から下り傾斜するようにして挟持機構に挟着し、前記挟持機構の先端面の切断位置において、前記上端の隅角部分及び隣り合って下り傾斜する２つの辺部分と同一形状の切断歯を有するカッター機構をプレスすることにより、前記切断位置から延長する角柱部材を切断するようにしたことを特徴とする角柱部材の切断方法。
【発明の詳細な説明】
【０００１】
【発明の属する技術分野】
本発明は、主に金属製の角柱部材をきわめて簡単に、バリを発生させないで確実に、正確に切断するようにしたことを特徴とする角柱部材の切断方法に関するものである。
【０００２】
【従来の技術】
四角材を隅角部から切断する方法として、従来では中空方形断面の管材の左右両側の隅角部分に予め管肉を貫通させてなる除肉部を形成し、その後、この除肉部が形成されている管材の位置においてプレスカッター機構を移動させ、管材を切断する方法である（例えば特許文献１参照）。
【０００３】
【特許文献１】
特許第２８７７７１２号公報
【０００４】
【発明が解決しようとする課題】
しかし、前記した従来の切断方法では、予め管材の左右隅角部に除肉部を形成する必要があり、またカッター機構は下方に移動してプレス切断するが、カッター機構が管材の外面形状に沿っていないので切断面にバリが発生し、後処理としてバリ取りする必要がある。また、カッター機構は中空な管材をプレスするだけであるから、プレス力によって管材の切断端面が歪むことがあり、端面が正確な形状に切断することができない。
したがって、本発明は金属製の中実な角柱部材をきわめて簡単に効率よく、しかもバリが発生することなく正確な寸法によって切断するようにしたことを目的とする。
【０００５】
【課題を解決するための手段】
前記目的を達成させるため、本発明は、断面において複数の辺部分と、隣り合う辺部分によって構成される複数の隅角部とを有する角柱部材を、１つの隅角部分が上端であって隣り合う２つの辺部分が上端の隅角部分から下り傾斜するようにして挟持機構に挟着し、前記挟持機構の先端面の切断位置において、前記上端の隅角部分及び隣り合って下り傾斜する２つの辺部分と同一形状の切断歯を有するカッター機構をプレスすることにより、前記切断位置から延長する角柱部材を切断するようにしたことを特徴とする。
【０００６】
【発明の実施の形態】
以下に本発明を図面に示す実施の態様に基づいて説明する。
図１は本発明の方法を実施する挟持機構の概略正面図、図２は図１の挟持機構を縦断面とした概略側面図、図３は切断する角柱部材の一部の斜視図である。
本発明により切断する角柱部材１は、例えば金属製であって中実で、軸方向に対して直交する縦断面が正方形の四辺形状であるから、４つの辺部分２と、隣り合う辺部分２によって構成される４つの隅角部分３とを有する。
そして前記角柱部材１を切断する場合には、４つの隅角部分３の内の１つの隅角部分３１を上端に位置させ、前記隅角部分３１に隣り合う２つの辺部分２１を下り傾斜させてあるので、対角線が垂直方向及び水平方向になっている。
【０００７】
前記角柱部材１を強固に挟着して固定する挟持機構１１は、例えばチャック機構を使用することができる。前記挟持機構１１は、前記角柱部材１の断面と同一形状の挿着空部１２を有し、切断位置である先端面１３に前記挿着空部１２が開口している。
したがって、前記挿着空部１２の断面形状も、前記角柱部材１の断面と同様に四辺形状で、対角線が垂直方向及び水平方向になっている。
【０００８】
前記挟持機構１１の先端面１３には、カッター機構５１が位置している。前記カッター機構５１には下面に切断歯５２を形成してある。前記切断歯５２は逆Ｖ字状であって、被切断部材である角柱部材１の上端の隅角部分３１に一致する隅角部分切断歯５３と、前記下り傾斜する辺部分２１に一致する左右の辺部分切断歯５４とからなる。
【０００９】
前記カッター機構５１は挟持機構１１の先端面１３に位置し、プレス機構に設けてあるので強力に下降することができ、前記先端面１３から延長する角柱部材１を切断することができる。
【００１０】
したがって、本発明によれば挟持機構１１の挿着空部１２に、角柱部材１の先端一部が先端面１３から延長するように挟着して強固に固定し、先端面１３に圧接するようにしてカッター機構５１をプレス機構（図示せず）によって下降すると、切断歯５２の隅角部分切断歯５３、左右の辺部分切断歯５４が角柱部材１の隅角部分３１、辺部分２１にそれぞれ線接触して衝接し、そのままプレス力により切断することができる。
【００１１】
そして、上記切断工程においては、切断歯５２が角柱部材１の２つの辺部分に切断当初は線接触し、そのままプレスにより押圧するとともに、角柱部材１の下面側が挟持機構１１の挿着空部１２で受け止められているので、切断時の衝撃力や圧力によって角柱部材が変形したり欠損することがなく、しかも低いプレス力によってバリが発生することなく簡単に、確実に切断することができる。
【００１２】
以上本発明を図面に示す実施の態様に基づいて説明したが、本発明は前記実施の態様に限定されるものではなく、特許請求の範囲に記載の構成を変更しない限りどのようにでも実施することができる。
例えば、角柱部材として断面が正方形状のものについて説明したが、断面が多角形状の例えば三角形、六角形などの多角形素材に付いても同様にして応用することができる。また、挟持機構についてもチャック機構に限らず、角柱部材の全面を強固に、確実に挟持することができて、先端面においてカッター機構により切断できる構成であれば、どのような構成でもよい。
【００１３】
【発明の効果】
以上要するに、本発明によれば、断面において複数の辺部分と、隣り合う辺部分によって構成される複数の隅角部とを有する角柱部材を、１つの隅角部分が上端であって隣り合う２つの辺部分が上端の隅角部分から下り傾斜するようにして挟持機構に挟着し、前記挟持機構の先端面の切断位置において、前記上端の隅角部分及び隣り合って下り傾斜する２つの辺部分と同一形状の切断歯を有するカッター機構をプレスすることにより、前記切断位置から延長する角柱部材を切断するようにしたことを特徴とする。
【００１４】
したがって、簡単な装置によって角柱部材が変形したり損傷することがなく、しかもバリが発生しないし切断寸法が正確である。また、高速で多数の角柱部材を切断することができるので、能率が向上して切断加工による原価が低廉となり、実用的価値の高い切断方法を提供することができる。
【図面の簡単な説明】
【図１】本発明の方法を実施する挟持機構の概略正面図である。
【図２】図１の挟持機構を縦断面とした概略側面図である。
【図３】切断する角柱部材の一部の斜視図である。
【符号の説明】
１  角柱部材
２  辺部分
３  隅角部分
１１  挟持機構
１２  挿着空部
１３  先端面
２１  左右の下り傾斜する辺部分
３１  上端の隅角部分
５１  カッター機構
５２  切断歯
５３  隅角部分切断歯
５４  辺部分切断歯
【図１】
2004188547.tif 000003
【図２】
2004188547.tif 000004
【図３】
2004188547.tif 000005